(57)【要約】  液晶表示パネルとバックライトユニットとを有する液晶表示モジュールが備えられている液晶表示装置（１０）において、液晶表示パネルを加熱するための熱源（６０）が設けられており、液晶表示モジュールは、２Ｄ表示と３Ｄ表示とが切り替え可能であり、３Ｄ表示が行われている間、熱源（６０）が発熱している。
2011148671.tif 000002
【特許請求の範囲】
【請求項１】
液晶表示パネルとバックライトユニットとを有する液晶表示モジュールが備えられている液晶表示装置において、
上記液晶表示パネルを加熱するための熱源が設けられており、
上記液晶表示モジュールは、２Ｄ表示と３Ｄ表示とが切り替え可能であり、
上記３Ｄ表示が行われている間、上記熱源が発熱していることを特徴とする液晶表示装置。
【請求項２】
３Ｄ表示が行われている間の上記熱源の消費電力が、２Ｄ表示が行われている間の上記熱源の消費電力よりも大きいことを特徴とする請求項１に記載の液晶表示装置。
【請求項３】
画像ソース判断部、及び熱源制御部が設けられており、
上記画像ソース判断部は、画像ソースが、２Ｄ画像か３Ｄ画像かを判断し、
上記熱源制御部は、上記画像ソース判断部が、画像ソースが３Ｄ画像であると判断した場合に、上記熱源を発熱するように制御することを特徴とする請求項１又は２に記載の液晶表示装置。
【請求項４】
上記液晶表示モジュールを操作するためのリモートコントローラが備えられているとともに、熱源制御部が設けられており、
上記リモートコントローラには、上記液晶表示モジュールの表示を、２Ｄ表示と３Ｄ表示とで切り替えるための入力部が設けられており、
上記熱源制御部は、上記入力部に３Ｄ表示を行うとの指示が入力されることに連動して、上記熱源を発熱するように制御することを特徴とする請求項１から３のいずれか１項に記載の液晶表示装置。
【請求項５】
上記液晶表示パネルの温度を検知するパネル温度センサー、及び熱源制御部が設けられており、
上記熱源制御部は、上記パネル温度センサーが検知した上記温度が４０度以下である場合に、上記熱源を発熱するように制御することを特徴とする請求項１から４のいずれか１項に記載の液晶表示装置。
【請求項６】
２Ｄ表示が行われている間、上記熱源は発熱していないことを特徴とする請求項１から５のいずれか１項に記載の液晶表示装置。
【請求項７】
上記熱源が発熱することで、２Ｄ表示が行われている際の上記液晶表示パネルの温度と、３Ｄ表示が行われている際の上記液晶表示パネルの温度との差が縮小することを特徴とする請求項１から６のいずれか１項に記載の液晶表示装置。
【請求項８】
上記熱源が発熱することで、２Ｄ表示の応答速度と、３Ｄ表示の応答速度との差が縮小することを特徴とする請求項１から６のいずれか１項に記載の液晶表示装置。
【請求項９】
上記熱源は、上記液晶表示パネルの画面における中央部及び下部のうちの少なくとも一方に対応する位置に設けられていることを特徴とする請求項１から８のいずれか１項に記載の液晶表示装置。
【請求項１０】
上記熱源は、上記液晶表示モジュールの背面に設けられていることを特徴とする請求項１から９のいずれか１項に記載の液晶表示装置。
【請求項１１】
上記バックライトユニットには、制御基板が設けられており、
上記制御基板が上記熱源であることを特徴とする請求項１から１０のいずれか１項に記載の液晶表示装置。
【請求項１２】
上記熱源が、電熱線、ペルチェ素子、及び回路基板のうちの、少なくともいずれか１つであることを特徴とする請求項１から１０のいずれか１項に記載の液晶表示装置。
【発明の詳細な説明】
【技術分野】
【０００１】
本発明は、液晶表示装置、詳しくは３Ｄ（Ｔｈｒｅｅ  Ｄｉｍｅｎｓｉｏｎ）表示が可能な液晶表示装置に関する。
【背景技術】
【０００２】
従来から、液晶表示装置の応答特性が温度に依存することが知られている。詳しくは、液晶材料の応答速度が温度に依存し、具体的には、液晶材料の温度が低下すると、液晶材料の応答速度が低下するというものである。【０００３】
これは、液晶材料の粘度が、その温度低下により上昇するためである。そこで、液晶材料の温度低下を抑制するために、液晶表示装置にヒーターを設けることが提案されている。【０００４】
また、下記特許文献１には、液晶表示装置に備えられたバックライトをヒーターとして利用し、その点灯デューティを制御する技術が記載されている。詳しくは、バックライト用の照明手段からの輻射熱により液晶材料を加熱して、液晶材料の温度低下による粘度上昇を抑制する技術が記載されている。
【先行技術文献】
【特許文献】
【０００５】
【特許文献１】日本国公開特許公報「特開平５−２８９０５８号（１９９３年１１月５日）」
【発明の概要】
【発明が解決しようとする課題】
【０００６】
しかしながら、上記従来技術には、液晶表示装置が、通常の２Ｄ（Ｔｗｏ  Ｄｉｍｅｎｓｉｏｎ）表示と３Ｄ表示とが切り替え可能な液晶表示装置である場合の特殊性が考慮されていないとの問題がある。以下、説明する。【０００７】
（立体視）
図９は、立体視の原理を説明するための図である。【０００８】
３Ｄ表示は、立体視を利用する表示である。この立体視は、人が立体や奥行きを感じる手がかりとなる両目視差を利用している。【０００９】
ここで、両目視差とは、左右の眼に入る画像の相違を意味し、この２つの画像が融合することで立体認識がなされる。【００１０】
すなわち、上記図９に示すように、物体Ｓを見た場合、左眼Ｅａには、左眼に入る画像Ｖａが、他方、右眼Ｅｂには、右眼に入る画像Ｖｂが見える。【００１１】
この左眼に入る画像Ｖａと、右眼に入る画像Ｖｂとは異なる画像であり、左眼に入る画像Ｖａでは、上記物体Ｓの左側Ｓａの比率が、物体Ｓの右側Ｓｂの比率よりも大きくなっている。【００１２】
他方、右眼に入る画像Ｖｂでは、上記物体Ｓの右側Ｓｂの比率が、物体Ｓの左側Ｓａの比率よりも大きくなっている。【００１３】
そして、異なる画像である上記左眼に入る画像Ｖａと右眼に入る画像Ｖｂとが融合することにより、立体認識がなされる。【００１４】
（３Ｄ表示装置の基本構成）
つぎに、図１０に基づいて、３Ｄ表示を行うための基本構成について説明する。図１０は、３Ｄ表示における表示と、眼鏡（アクティブ眼鏡）のシャッターとの関係を示す図である。【００１５】
３Ｄ表示は、主に、３Ｄ表示が可能な液晶表示装置１０と、液晶表示装置１０の観者が着用するアクティブ眼鏡５０とを用いて行われる。【００１６】
そして、上記液晶表示装置１０には、時分割で、視差の異なる右眼用の画像Ｄｂと、左眼用の画像Ｄａとが交互に表示される。【００１７】
詳しくは、時分割で、右眼表示フレームと左眼表示フレームとが交互に配置される。そして、右眼表示フレームでは、右眼用画像Ｄｂが液晶表示装置１０の表示部に表示され、左眼表示フレームでは、左眼用画像Ｄａが液晶表示装置１０の表示部に表示される。【００１８】
一方、上記アクティブ眼鏡５０には、その左右のレンズ部分に液晶シャッターが備えられている。そして、上記右眼用画像Ｄｂと左眼用画像Ｄａとに同期して上記液晶シャッターを片方づつ開き、上記観者の左右の眼に入る画像を分離する。【００１９】
具体的には、上記右眼表示フレームでは、アクティブ眼鏡５０の左レンズ５２ａは閉じており、右レンズ５２ｂが開いている。そのため、観者の右眼Ｅｂには、上記右眼用画像Ｄｂが入る。【００２０】
同様に、上記左眼表示フレームでは、アクティブ眼鏡５０の右レンズ５２ｂは閉じており、左レンズ５２ａが開いている。そのため、観者の左眼Ｅａには、上記左眼用画像Ｄａが入る。【００２１】
以上のように、３Ｄ表示においては、左右の眼に入る画像が分離されている。【００２２】
（３Ｄ表示の課題）
つぎに、図１１に基づいて、３Ｄ表示の課題について説明する。図１１は、３Ｄ表示における実際の表示と、クロストークとを示す図である。【００２３】
３Ｄ表示の課題とは、眼に入る画像にクロストークによる画像が含まれる点である。以下説明する。【００２４】
３Ｄ表示においては、上記の通り、右眼表示フレームと左眼表示フレームとで、表示される画像が異なる。【００２５】
すなわち、上記図１１に「ソース」として記載されているように、左眼用画像Ｄａと右眼用画像Ｄｂとは、その画像データ（ソース）が相違する。【００２６】
そして、上記図１０で説明した通り、右眼表示フレームと左眼表示フレームとで、表示が切り替えられる。【００２７】
しかし、「実際の表示」では、実表示画像Ｄｒとして示すように、上記左眼用画像Ｄａと右眼用画像Ｄｂとが混在する画像が表示される場合がある。【００２８】
これは液晶材料の応答速度が遅いため、上記右眼表示フレームと左眼表示フレームとの切り替わりに対応して、その表示が完全には切り替わらないためである。【００２９】
そして、上記左眼用画像Ｄａと右眼用画像Ｄｂとが混在がクロストークとなる。具体的には、図１１に示す左眼に入る画像Ｖａにおいて表示されている右眼用画像ＤｂがクロストークＣａであり、同様に、右眼に入る画像Ｖｂにおいて表示されている左眼用画像ＤａがクロストークＣｂである。【００３０】
そして、このクロストークの存在により、３Ｄ表示の表示品位が低下する。【００３１】
（バックライトとの関係）
また、上記３Ｄ表示の表示品位の低下は、バックライトの点灯制御との関係で、より顕著になりやすい。【００３２】
以下、図１２に基づいて説明する。図１２は、３Ｄ表示装置におけるバックライト点灯状態を説明するための図であり、液晶材料の応答、バックライトの点灯状態等を示している。【００３３】
図１２では、右眼表示フレームで白を表示し、続く左眼表示フレームで黒を表示する場合を示している。【００３４】
図１２の、「液晶材料の応答」における左眼表示フレームに示すように、液晶材料の応答速度が遅いため、左眼表示フレームでは、当該フレームの当初から完全な黒が表示されるものではない。左眼表示フレームでは、白の表示からなだらかに黒の表示へと移行しており、左眼表示フレームの前半においては、白に近い表示がなされる。そして、左眼表示フレームの後半において、完全な黒に近づく。【００３５】
このように、左眼用画像（黒）において右眼用画像（白）が混在することにより、先に説明したクロストークが発生する。【００３６】
すなわち、右眼用の白い画像から、左眼用の黒い画像に切り替わる場合、液晶材料の応答が遅い等のため、アクティブ眼鏡の左眼のシャッターがフレームに対応したタイミングで開くのにも関わらず、右眼用の白い画像が残っているために、左眼にも右眼の画像が見えてしまう（クロストーク）。【００３７】
そして、上記クロストークは、３Ｄ表示に合わせてバックライトの点灯を制御した場合に顕著となりやすい。【００３８】
液晶材料の応答速度は、一般的に温度に依存し、温度が低くなると応答速度が低下する。ここで、液晶表示装置には、一般的にバックライトが備えられており、その光源は、発熱源となりうる。すなわち、光源からの発熱により、液晶材料の温度が高くなりうる。【００３９】
３Ｄ表示においては、上記光源の点灯時間が、通常の２Ｄ表示に比べて短い。すなわち、２Ｄ表示においては、バックライトの光源は常時点灯しているのに対して、３Ｄ表示においては、非点灯期間がある。【００４０】
すなわち、図１２の、「バックライト点灯」が示すように、右眼表示フレーム及び左眼表示フレームにおいて、各々バックライトが点灯していない期間が設けられており、その結果、右眼表示フレームと左眼表示フレームとの間に、バックライトの非点灯期間がある。【００４１】
これは、右眼用画像から左眼用画像に、表示が書き換えられている間、バックライトを非点灯とすることで、観者に、クロストークを見えにくくするためである。【００４２】
このように、３Ｄ表示においては、バックライトに非点灯期間がある。そのため、光源からの発熱による液晶材料の温度上昇が、２Ｄ表示に比べて小さくなる。【００４３】
以上より、３Ｄ表示においては、２Ｄ表示に比べて、液晶材料の応答速度が遅くなりやすく、その結果、上記クロストークがより顕著となりやすい。【００４４】
なお、観者の眼に入る画像は、バックライト点灯と液晶材料の応答とが掛け合わされたものとなる。すなわち、図１２の「バックライト点灯×液晶材料の応答（眼に入る画像）」に示される画像が眼に入る。左眼表示フレームでは、完全な黒ではなく、徐々に輝度が低下していく画像がクロストークとして左眼に入る。【００４５】
そこで本発明は、上記課題を解決するためになされたものであり、その目的は、３Ｄ表示におけるクロストークが低減された液晶表示装置を提供することにある。
【課題を解決するための手段】
【００４６】
本発明の液晶表示装置は、上記課題を解決するために、
液晶表示パネルとバックライトユニットとを有する液晶表示モジュールが備えられている液晶表示装置において、
上記液晶表示パネルを加熱するための熱源が設けられており、
上記液晶表示モジュールは、２Ｄ表示と３Ｄ表示とが切り替え可能であり、
上記３Ｄ表示が行われている間、上記熱源が発熱していることを特徴とする。【００４７】
上記の構成によれば、３Ｄ表示が行われている間、熱源により液晶表示モジュールが加熱される。そのため、液晶表示パネルの表示の応答速度が速くなり、その結果クロストークが低減される。
【発明の効果】
【００４８】
本発明の液晶表示装置は、以上のように、液晶表示パネルを加熱するための熱源が設けられており、液晶表示モジュールは、２Ｄ表示と３Ｄ表示とが切り替え可能であり、上記３Ｄ表示が行われている間、上記熱源が発熱しているものである。【００４９】
それゆえ、３Ｄ表示におけるクロストークが低減された液晶表示装置を実現するという効果を奏する。
【図面の簡単な説明】
【００５０】
【図１】本発明の実施の形態を示すものであり、液晶表示装置の概略構成を示す図である。
【図２】本発明の実施の形態を示すものであり、液晶表示モジュールの概略構成を示す断面図である。
【図３】本発明の実施の形態を示すものであり、液晶表示装置本体の背面を示す図である。
【図４】本発明の実施の形態を示すものであり、液晶表示装置本体の正面を示す図である。
【図５】液晶材料の温度と液晶材料の応答速度との関係を示す図である。
【図６】液晶材料の温度と液晶材料の応答速度との関係を示す図である。
【図７】本発明の実施の形態を示すものであり、クロストークの低減を説明するための図である。
【図８】本発明の他の実施の形態を示すものであり、液晶表示モジュールの概略構成を示す断面図である。
【図９】立体視の原理を説明するための図である。
【図１０】３Ｄ表示装置の基本構成を説明するための図である。
【図１１】３Ｄ表示の課題を説明するための図である。
【図１２】３Ｄ表示装置のバックライト点灯を説明するための図である。
【発明を実施するための形態】
【００５１】
以下、本発明の実施の形態について、詳細に説明する。
【００５２】
〔実施の形態１〕
本発明の一実施の形態について図１から図７に基づいて説明すると以下の通りである。
【００５３】
（概略構成）
図１は、本発明の実施の形態を示すものであり、液晶表示装置の概略構成を示す図である。
【００５４】
上記図１に示すように、本実施の形態の液晶表示装置１０は、液晶表示装置本体１２と、リモートコントローラ９０とを備えている。
【００５５】
（液晶表示装置本体）
上記液晶表示装置本体１２は、筐体１４に液晶表示モジュールが備えられている。
【００５６】
図２に基づいて、具体的に説明する。図２は、液晶表示モジュールの概略構成を示す断面図である。
【００５７】
図２に示すように、上記筐体１４に、液晶表示モジュール２０が組み込まれている。
【００５８】
上記液晶表示モジュール２０は、主に、液晶表示パネル３０とバックライトユニット４０とで構成されている。
【００５９】
本実施の形態では、上記バックライトユニット４０が、直下型のバックライトユニットとして構成されている。具体的には、上記液晶表示パネル３０の背後に光源４２が配置されている。
【００６０】
詳しくは、シャーシ２２に複数個のＬＥＤ（Ｌｉｇｈｔ  Ｅｍｉｔｔｉｎｇ  Ｄｉｏｄｅ）が光源４２として配置されている。そして、上記光源４２と上記液晶表示パネル３０との間には、拡散板４６と光学シート４４とが順に設けられている。
【００６１】
（リモートコントローラ）
つぎに、上記リモートコントローラ９０について説明する。上記リモートコントローラ９０は、上記液晶表示装置本体１２、より詳しくは上記液晶表示モジュール２０を遠隔操作するためのものである。
【００６２】
上記液晶表示装置１０は、２Ｄ表示及び３Ｄ表示のいずれの表示も可能な表示装置である。すなわち、上記液晶表示装置１０は、２Ｄ表示と３Ｄ表示との切り替えが可能な表示装置である。
【００６３】
そして、上記リモートコントローラ９０には、上記２Ｄ表示と３Ｄ表示との切り替えを制御するための入力部９２、例えば３Ｄモードボタンが設けられている。
【００６４】
（熱源）
本実施の形態の液晶表示装置１０は、液晶表示装置本体１２に熱源６０が設けられている点が特徴である。
【００６５】
すなわち、上記図１に示すように、液晶表示装置本体１２の背面に、熱源６０としてのヒーターが設けられている。
【００６６】
具体的には、上記図２に示すように、液晶表示装置本体１２のシャーシ２２の背面に、熱源６０が設けられている。
【００６７】
この熱源６０の種類は、特には限定されるものではなく、発熱するヒーター等でればよい。例えば、上記熱源６０としては、電熱線、ペルチェ素子、回路基板（例えば、発熱するＩＣ（Ｉｎｔｅｇｒａｔｅｄ  Ｃｉｒｃｕｉｔ）が搭載された基板）等を用いることができる。なお、上記光源４２も発熱する場合があるが、本実施の形態で言う熱源６０とは、上記光源４２以外の熱源（発熱体）を意味する。
【００６８】
図３は、本実施の形態の液晶表示装置本体１２の一例について、その背面を示す図である。図３は、熱源６０として電熱線を用いた構成を例示している。具体的には、電熱線が複数回折り曲げられて全体として直方体形のシート状となっているヒーターが、複数個上記シャーシ２２に設けられている。
【００６９】
（熱源の位置）
なお、上記熱源６０が設けられる位置は、上記各図に示した位置に限定されるものではない。
【００７０】
ただ、先に説明したクロストークを見えにくくするとの観点からは、図４に示す位置に設けることが好ましい。図４は、本実施の形態の液晶表示装置本体１２の正面を示す図である。
【００７１】
すなわち、上記熱源６０は、上記液晶表示装置本体１２における液晶表示パネル３０の画面３２において、その画面中央部Ｒ１及び画面下部Ｒ２に対応する位置に設けることが好ましい。
【００７２】
ここで、画面中央部Ｒ１及び画面下部Ｒ２に対応する位置とは、例えば図３に示す位置を意味する。
【００７３】
上記図３に示すように、液晶表示装置本体１２の背面、すなわち上記シャーシ２２上において、上記画面３２における画面中央部Ｒ１及び画面下部Ｒ２に対応する位置に熱源６０が設けられている。
【００７４】
（クロストーク）
つぎに、上記熱源６０を設けることによりクロストークが低減すること、及び、上記熱源６０を上記画面中央部Ｒ１及び画面下部Ｒ２に対応する位置に設けることが好ましい理由について説明する。
【００７５】
先に説明したとおり、クロストークは、液晶材料の応答速度が遅いために発生する。液晶材料の応答速度は、その粘度が高くなるとより遅くなる。そして、液晶材料の粘度は、その温度が下がると高くなる。すなわち、液晶材料の温度が低いと、応答速度が遅いため、クロストークがより発生しやすくなる。
【００７６】
ここで、３Ｄ表示においては、先に説明した通り、バックライトが常時点灯しているのではなく、非点灯期間が設けられている。そのため、２Ｄ表示の際に比べて、液晶材料の温度が低下しやすい。バックライトの光源からの発熱が少なくなるからである。
【００７７】
本実施の形態の液晶表示装置１０では、液晶表示装置本体１２に熱源６０が設けられている。そのため、上記熱源６０からの発熱により、上記液晶材料の温度が上昇する。したがって、液晶材料の応答速度が低下しにくくなり、よってクロストークが低減される。
【００７８】
図５〜図７に基づいて説明する。図５及び図６は、いずれも液晶材料の温度と液晶材料の応答速度との関係を示す図であり、横軸は時間（ｔｉｍｅ（ｓ））を、縦軸は輝度（ｉｎｔｅｎｓｉｔｙ）を示している。そして、図５は、黒表示から白表示への移行を示し、図６は、白表示から黒表示への移行を示している。
【００７９】
上記図５及び図６に示すように、液晶材料の温度が高くなると、黒表示から白表示への移行及び白表示から黒表示への移行に要する時間が短くなっていることが分かる。これは、液晶材料の応答速度が、その温度が高くなるにつれて速くなっていることを示している。
【００８０】
そして、液晶材料の応答速度が速くなるとクロストークが低減される。図７に基づいて説明する。図７は、クロストークの低減を説明するための図であり、右眼表示フレーム及び左眼表示フレームにおける液晶分子の応答と、眼に入る画像等を示す図である。図７では、白を表示する右眼表示フレームに続いて、左眼表示フレームで黒を表示する場合を例示している。
【００８１】
先に図６に示したように、液晶材料の温度が高くなると、白表示から黒表示への移行において、その輝度が早く低下する。
【００８２】
そして、本実施の形態では熱源が設けられているので、その熱源から発熱により液晶材料の温度が上昇する。よって、白表示から黒表示への移行が早くなる。
【００８３】
図７の、左眼表示フレームにおける「液晶分子の応答」に矢印で示すように、本実施の形態の液晶表示装置では、熱源で加熱することで、黒表示の際、より早く表示が黒に近づく。
【００８４】
そのため、図７の、「バックライト点灯×液晶分子の応答」で近似される「眼に入る画像」において矢印で示すように、クロストークが低減する。
【００８５】
（熱源の配置）
つぎに、クロストークの低減と、熱源の配置との関係について説明する。
【００８６】
先に説明した通り、熱源６０は、上記液晶表示装置本体１２における液晶表示パネル３０の画面３２において、その画面中央部Ｒ１及び画面下部Ｒ２に対応する位置に設けることが好ましい。以下、その理由について説明する。
【００８７】
クロストークは、画面中において、液晶表示装置の観者が見る頻度が高い部分でより視認されやすい。上記見る頻度が高い部分とは、画面の中央部である。そのため、上記中央部の液晶材料の応答速度を速くすると、観者は、クロストークの低減を認識しやすい。
【００８８】
また、映画における字幕やテロップなど、くっきりした画像が表示される部分も、クロストークが視認されやすい。そのため、上記字幕等が表示される場合が多い画面の下部の液晶材料の応答速度を速くすることも、クロストークの改善に効果的である。
【００８９】
上記の理由により、画面中央部及び画面下部のクロストークを改善することが３Ｄ表示がなされる液晶表示装置の品位向上につながる。
【００９０】
よって、本実施の形態においては、熱源６０は、上記液晶表示装置本体１２における液晶表示パネル３０の画面３２において、その画面中央部Ｒ１及び画面下部Ｒ２に対応する位置に設けられている。
【００９１】
なお、熱源の位置は上記位置に限定されるものではない。観者の見る頻度が高い部分が画面の中央部以外の部分である場合や、上記字幕等が画面の下部ではなく例えば画面の側部や上部に表示される場合等には、それに応じて適宜熱源の位置を変えることができる。
【００９２】
（熱源の制御）
つぎに、上記熱源の制御について説明する。
【００９３】
本実施の形態においては、上記熱源は、３Ｄ表示が行われている間のみ発熱するように制御されている。
【００９４】
ここで、「３Ｄ表示が行われている間」とは、必ずしもその全ての間を意味するのではなく、後に説明するパネル温度等に応じて、３Ｄ表示が行われている間における発熱期間を、適宜設定することができる。
【００９５】
また、「３Ｄ表示が行われている間のみ発熱」とは、２Ｄ表示が行われている間、上記熱源は発熱していないことを意味している。ただ、発熱していないとは、上記熱源を意図的に発熱するように制御してはいないとの意味であり、例えば、発熱終了後の余熱による発熱や通常の電気抵抗による発熱等（意図的でない発熱）は、ここでの発熱には含まない。
【００９６】
これは、先に説明した通り、３Ｄ表示が行われている間は、バックライトが常時点灯しているのではなく、非点灯の期間がある。そのため、液晶材料の温度が低下しやすく、クロストークが顕著に視認されやすいためである。
【００９７】
このように、熱源を、３Ｄ表示が行われている間のみ発熱するように制御する方法は、特には限定されない。以下、その制御の例について説明する。
【００９８】
（制御例１）
第１の制御例としては、表示される画像ソースに応じて制御する例が挙げられる。
【００９９】
上記制御を行うためには、例えば、上記図１に示すように、液晶表示装置本体１２に、上記熱源６０の発熱状況を制御する熱源制御部６２と共に、画像ソース判断部７０を設ける。
【０１００】
そして、上記画像ソース判断部７０が、表示される画像ソース（画像データ）が、２Ｄ画像か３Ｄ画像かを判断する。その判断結果が３Ｄ画像である場合（期間）には、その判断に連動して、上記熱源制御部６２が、上記熱源６０を発熱するように制御する。
【０１０１】
また、上記判断により、表示が３Ｄ画像から２Ｄ画像に切り替わった場合には、その判断に連動して、上記熱源制御部６２は、上記熱源６０からの発熱が停止するように、上記熱源６０を制御する。
【０１０２】
（制御例２）
つぎに、第２の制御例について説明する。この制御例は、先に説明したリモートコントローラ９０の入力に応じて制御する例である。
【０１０３】
上記リモートコントローラ９０には、２Ｄ表示と３Ｄ表示との切り替えを制御するための入力部９２が設けられている。そして、観者が上記入力部９２から３Ｄ表示を行う旨入力した場合に、その入力に連動して、上記熱源制御部６２が、上記熱源６０を発熱するように制御する。
【０１０４】
また、３Ｄ表示から２Ｄ表示に切り替える旨入力された場合には、その入力に連動して、上記熱源制御部６２は、上記熱源６０からの発熱が停止するように、上記熱源６０を制御する。
【０１０５】
（併用）
なお、上記制御例１・２は、そのいずれかを一方のみ選択する必要はなく、制御例１と制御例２とを併用することもできる。
【０１０６】
上記制御を併用をした場合には、例えば、画像ソースが２Ｄ画像であっても、リモートコントローラ９０を介して３Ｄ表示に切り替える旨が入力され、それに応じて２Ｄ画像の画像ソースが３Ｄ画像に変換されて表示されるときなど、より適切な熱源６０の制御（発熱有り）を行うことができる。
【０１０７】
逆に、画像ソースが３Ｄ画像であっても、観者の好み等により、リモートコントローラ９０を介して２Ｄ表示に切り替える旨が入力され、それに応じて３Ｄ画像の画像ソースが２Ｄ画像に変換されて表示されるときなども、同様により適切な熱源６０の制御（発熱無し）を行うことができる。
【０１０８】
（パネル温度）
つぎに、液晶表示パネルの温度（パネル温度）と、熱源の制御との関係について説明する。
【０１０９】
先に説明した熱源６０の制御は、上記パネル温度と関連させることも可能である。クロストークの発生は、液晶材料の温度に依存し、液晶材料の温度と上記パネル温度とは相関があるためである。
【０１１０】
上記パネル温度と関連した熱源６０の制御を行うためには、図１に示すように、液晶表示装置本体１２に、例えば液晶表示パネルの温度を検知するパネル温度センサー３４を設ける。
【０１１１】
そして、上記パネル温度センサー３４の検知結果が一定の温度以下、例えば４０度以下である場合に、上記熱源６０を発熱させる。すなわち、３Ｄ表示が行われている場合であって、上記パネル温度センサー３４が検知した温度が４０度以下であるときに、上記熱源制御部６２が、上記熱源６０を、発熱するように制御する。
【０１１２】
また、３Ｄ表示が行われている場合であっても、上記パネル温度センサー３４が検知した温度が４０度を超えるときに、上記熱源制御部６２が、上記熱源６０を、発熱しないように制御する。
【０１１３】
なお、上記の４０度は例示であり、液晶材料の応答特性などに応じて適宜設定することができる。
【０１１４】
（他の構成）
なお、上記の説明では、熱源６０が、液晶表示モジュール２０の背面、具体的にはシャーシ２２の背面に設けられている構成について説明した。
【０１１５】
ただ、熱源６０が設けられる位置は、上記シャーシ２２の背面に限定されるものではなく、例えば上記シャーシ２２の内面に設けることもできる。
【０１１６】
例えば、上記シャーシ２２の内面に設ける構成としては、上記バックライトユニット４０の制御基板４８を熱源６０として上記シャーシ２２の内面に設ける構成が考えられる。その際、上記制御基板４８としては、発熱するＩＣなどが搭載された基板等が好ましい。
【０１１７】
また、上記熱源６０を上記シャーシ２２に設ける場合、シャーシ２２の背面・内面のいずれか一方のみに設けることも可能であるし、又は、その両面に設けることも可能である。
【０１１８】
また、熱源６０を上記シャーシ２２以外に設けることもできる。具体的には、例えば、上記液晶表示パネル３０に設けることも可能である。
【０１１９】
また、上記熱源６０の制御に関して、３Ｄ表示が行われている間の上記熱源の消費電力が、２Ｄ表示が行われている間の上記熱源の消費電力よりも大くなるように制御することもできる。
【０１２０】
上記のような制御では、例えば、２Ｄ表示の間も含めて熱源が常時ＯＮされていたとしても、３Ｄ表示の間には、２Ｄ表示の間よりも液晶表示パネル３０をより温めることができる。具体例としては、熱源６０として、液晶パネルのタイミングコントローラーや電源基板等の回路基板を用いた場合があげられる。
【０１２１】
〔実施の形態２〕
つぎに、本発明の液晶表示装置に関する他の実施の形態について、図８に基づいて説明すれば、以下のとおりである。図８は、液晶表示モジュールの概略構成を示す断面図である。
【０１２２】
なお、説明の便宜上、上記実施の形態１で説明した図面と同じ機能を有する部材については、同じ符号を付記し、その説明を省略する。
【０１２３】
上記実施の形態１では、そのバックライトユニット４０が直下型のバックライトユニット４０として構成されていた。これに対し、本実施の形態では、バックライトユニット４０が、エッジ型として構成されている。
【０１２４】
すなわち、上記図８に示すように、シャーシ２２の両サイド（エッジ）に光源４２としてのＬＥＤが設けられている。そして、シャーシ２２の底面には反射シート４５が設けられ、その上に導光板４７、各種光学シート４４が積層されている。
【０１２５】
そして、本実施の形態においては、上記熱源６０は、上記シャーシ２２の背面に設けられている。
【０１２６】
バックライトユニット４０がエッジ型として構成されている場合には、上記の通りシャーシ２２の底面に反射シート４５を設けることが好ましい。そのため、熱源６０は、シャーシ２２の内面（シャーシの底面）ではなく、その背面に設けることが好ましい。
【０１２７】
なお、上記各説明においては、光源４２としてＬＥＤを用いる構成について説明したが、光源４２の種類はＬＥＤに限定されるものではなく、例えば蛍光管やＥＬ（Ｅｌｅｃｔｒｏ  Ｌｕｍｉｎｅｓｃｅｎｃｅ）等を用いることもできる。
【０１２８】
また、上記の説明では、液晶表示装置１０にリモートコントローラ９０が備えられている構成について説明したが、上記リモートコントローラ９０は必須ではなく、液晶表示装置１０を液晶表示装置本体１２のみで構成することもできる。
【０１２９】
また、本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【０１３０】
また、本発明の液晶表示装置は、
３Ｄ表示が行われている間の上記熱源の消費電力が、２Ｄ表示が行われている間の上記熱源の消費電力よりも大きいことを特徴とする。
【０１３１】
上記の構成によれば、上記表示の応答速度が比較的速い２Ｄ表示の間、熱源の消費電力が小さい。
【０１３２】
そのため、熱源が２Ｄ表示の間もＯＮされている場合であっても、３Ｄ表示の間、２Ｄ表示の間に比べて、液晶表示パネルをより温めることができる。
【０１３３】
本発明の液晶表示装置は、
画像ソース判断部、及び熱源制御部が設けられており、
上記画像ソース判断部は、画像ソースが、２Ｄ画像か３Ｄ画像かを判断し、
上記熱源制御部は、上記画像ソース判断部が、画像ソースが３Ｄ画像であると判断した場合に、上記熱源を発熱するように制御することを特徴とする。
【０１３４】
上記の構成によれば、画像ソースの種類に応じて、的確かつ容易に、熱源を制御することができる。
【０１３５】
本発明の液晶表示装置は、
上記液晶表示モジュールを操作するためのリモートコントローラが備えられているとともに、熱源制御部が設けられており、
上記リモートコントローラには、上記液晶表示モジュールの表示を、２Ｄ表示と３Ｄ表示とで切り替えるための入力部（例えば、３Ｄモードボタン）が設けられており、
上記熱源制御部は、上記入力部に３Ｄ表示を行うとの指示が入力されることに連動して、上記熱源を発熱するように制御することを特徴とする。
【０１３６】
上記の構成によれば、観者の好みに応じた表示、及びそれに連動した熱源の制御をすることができる。
【０１３７】
本発明の液晶表示装置は、
上記液晶表示パネルの温度を検知するパネル温度センサー、及び熱源制御部が設けられており、
上記熱源制御部は、上記パネル温度センサーが検知した上記温度が４０度以下である場合に、上記熱源を発熱するように制御することを特徴とする。
【０１３８】
上記の構成によれば、液晶表示パネルの温度が低く、熱源による加熱が必要な場合にのみに、熱源を発熱させることができる。そのため、消費電力を抑制することができる。
【０１３９】
本発明の液晶表示装置は、
２Ｄ表示が行われている間、上記熱源は発熱していないことを特徴とする。
【０１４０】
上記の構成によれば、上記表示の応答速度が比較的速い２Ｄ表示期間、熱源を発熱させない。それにより、消費電力を抑制することができる。
【０１４１】
本発明の液晶表示装置は、
上記熱源が発熱することで、２Ｄ表示が行われている際の上記液晶表示パネルの温度と、３Ｄ表示が行われている際の上記液晶表示パネルの温度との差を縮小することができる。
【０１４２】
本発明の液晶表示装置は、
上記熱源が発熱することで、２Ｄ表示の応答速度と、３Ｄ表示の応答速度との差を縮小することができる。
【０１４３】
本発明の液晶表示装置は、
上記熱源は、上記液晶表示パネルの画面における中央部及び下部のうちの、少なくとも一方に対応する位置に設けられていることを特徴とする。
【０１４４】
上記の構成によれば、クロストークが視認されやすい部分に熱源が設けられている。そのため、効率的に、加熱によるクロストークの低減を図ることができる。
【０１４５】
本発明の液晶表示装置は、
上記熱源は、上記液晶表示モジュールの背面に設けられていることを特徴とする。
【０１４６】
上記の構成によれば、任意の位置に、容易に熱源を設けることができる。
【０１４７】
本発明の液晶表示装置は、
上記バックライトユニットには、制御基板が設けられており、
上記制御基板が上記熱源であることを特徴とする。
【０１４８】
上記の構成によれば、熱源として別個の部材を用意することなく、液晶表示モジュールを加熱することができる。
【０１４９】
本発明の液晶表示装置は、
上記熱源が、電熱線、ペルチェ素子、及び回路基板のうちの、少なくともいずれか１つであることを特徴とする。
【０１５０】
上記の構成によれば、熱源を薄く形成することが容易なので、液晶表示装置の厚みの増加を抑制することが容易になる。
【産業上の利用可能性】
【０１５１】
本発明は、３Ｄ表示が行われる表示装置に、好適に利用することができる。
【符号の説明】
【０１５２】
１０    液晶表示装置
１２    液晶表示装置本体
１４    筐体
２０    液晶表示モジュール
２２    シャーシ
３０    液晶表示パネル
３２    画面
３４    パネル温度センサー
４０    バックライトユニット
４２    光源
４４    光学シート
４５    反射シート
４６    拡散板
４７    導光板
４８    制御基板
５０    アクティブ眼鏡
５２ａ  左レンズ
５２ｂ  右レンズ
６０    熱源
６２    熱源制御部
７０    画像ソース判断部
９０    リモートコントローラ
９２    入力部
Ｅａ  左眼
Ｅｂ  右眼
Ｃａ  クロストーク
Ｃｂ  クロストーク
Ｄａ  左眼用画像
Ｄｂ  右眼用画像
Ｄｒ  実表示画像
Ｓ    物体
Ｓａ  物体の左側
Ｓｂ  物体の右側
Ｖ    眼に入る画像
Ｖａ  左眼に入る画像
Ｖｂ  右眼に入る画像
Ｒ１  画面中央部
Ｒ２  画面下部
【図１】
2011148671.tif 000003
【図２】
2011148671.tif 000004
【図３】
2011148671.tif 000005
【図４】
2011148671.tif 000006
【図５】
2011148671.tif 000007
【図６】
2011148671.tif 000008
【図７】
2011148671.tif 000009
【図８】
2011148671.tif 000010
【図９】
2011148671.tif 000011
【図１０】
2011148671.tif 000012
【図１１】
2011148671.tif 000013
【図１２】
2011148671.tif 000014
【国際調査報告】
2011148671.tif 000015
2011148671.tif 000016
2011148671.tif 000017
2011148671.tif 000018